(57)【要約】【課題】  一時的に車両を出庫させた場合でも、駐車料金の精算を行うことのできる駐車場システムを提供する。【解決手段】  駐車場に設置された精算機５と、駐車場に駐車した車両１の入出庫を検出する車両センサ４と、車両センサ４により料金未納で出庫した車両１を検出した場合に当該車両１の料金未納情報を記録する料金未納管理データベース２１と、を備え、精算機５は、料金未納管理データベース２１に記録された料金未納情報に基づいて料金未納車両１に対する精算処理を行う。【選択図】      図２
2014071607.tif 000002
【特許請求の範囲】
【請求項１】
駐車場に設置された精算機と、
前記駐車場に駐車した車両の入出庫を検出する車両検出装置と、
前記車両検出装置により料金未納で出庫した車両を検出した場合に当該車両の料金未納情報を記録する料金未納管理データベースと、を備え、
前記精算機は、料金未納管理データベースに記録された料金未納情報に基づいて料金未納車両に対する精算処理を行うことを特徴とする駐車場システム。
【請求項２】
前記精算機は、駐車場に駐車した車両の車両情報を入力する入力部を備えるとともに、前記料金未納管理データベースは、料金未納車両の車両特定情報を記録するように構成され、
前記精算機は、前記入力部により入力された車両特定情報に対応する前記料金未納情報データベースに記録された料金未納情報に基づいて料金未納車両に対する精算処理を行うことを特徴とする請求項１に記載の駐車場システム。
【請求項３】
前記駐車場の車室に駐車する前記車両の車番プレートを撮影してこの撮影画像に基づいて前記車番プレートのプレート情報を認識する車番認識装置を備え、
前記料金未納管理データベースは、前記車番認識装置により認識されたプレート情報を車両の車両特定情報として記録することを特徴とする請求項１または請求項２に記載の駐車場システム。
【請求項４】
前記精算機は、前記車両が出庫した後に当該車室に再入庫した場合に、前記車番認識装置による再入庫後のプレート情報と出庫前のプレート情報との比較結果に基づいて継続駐車であるか新規駐車であるかを判断することを特徴とする請求項３に記載の駐車場システム。
【請求項５】
前記精算機は、前記車番認識装置による再入庫後のプレート情報と出庫前のプレート情報との比較結果に基づいて新規駐車であると判断した場合に、前記料金未納データベースに料金未納情報を記録することを特徴とする請求項４に記載の駐車場システム。
【請求項６】
前記料金未納情報を報知する報知手段を備え、
前記精算機は、前記料金未納管理データベースから、前記車番認識装置により認識された車両のプレート情報に対応する料金未納情報を検索し、プレート情報に対応する料金未納情報がある場合は、前記報知手段により料金未納がある旨を報知することを特徴とする請求項３から請求項５のいずれか一項に記載の駐車場システム。
【請求項７】
複数の駐車場を管理する駐車場管理サーバを備え、
前記料金未納管理データベースの料金未納情報は、前記駐車場管理サーバに送られることを特徴とする請求項１または請求項２に記載の駐車場システム。
【請求項８】
前記精算機は、前記入力部により入力された車両特定情報に対応する料金未納情報を前記駐車場管理サーバから検索し、この料金未納情報に基づいて料金未納車両に対する精算処理を行うことを特徴とする請求項７に記載の駐車場システム。
【請求項９】
前記精算機は、前記駐車場管理サーバから、前記車番認識装置により認識された車両のプレート情報に対応する料金未納情報を検索し、プレート情報に対応する料金未納情報がある場合は、前記報知手段により料金未納がある旨を報知することを特徴とする請求項７に記載の駐車場システム。
【請求項１０】
前記料金未納管理データベースの料金未納情報は、一定期間経過後に削除することを特徴とする請求項１から請求項９のいずれか一項に記載の駐車場システム。
【発明の詳細な説明】
【技術分野】
【０００１】
本発明は駐車場システムに係り、特に、一時的に車両を出庫させた場合でも、駐車料金の精算を行うことを可能とした駐車場システムに関するものである。
【背景技術】
【０００２】
従来、時間貸し駐車場に設置される駐車場システムとしては、例えば、駐車場の車室ごとに、車両検出器、ロック板などを設置し、駐車車両を検出して一定時間経過するとロック板を上昇させて退出を阻止するとともに駐車時間の計測を始め、精算機により駐車料金が精算されるとロック板が下降して退出を許可するようにしたものがある。
【０００３】
このような駐車場においては、駐車場管理センターと通話およびデータ通信が可能であり、精算機は、駐車場管理センターから遠隔操作可能に接続され、装置故障の際に利用者からの連絡や苦情を受け付けたり、精算機の使用方法などを、駐車場管理センターのオペレータから利用者が通話しながら説明を受けたり、さらに監視カメラによる現場画像の確認や、必要であれば適切な遠隔操作処理を行うことができるようになっており、不慮の機器故障や何らかのトラブルに対して係員の到着を待つことなく遠隔で適切な処理が可能となっている。
【０００４】
このような駐車場管理センターにより精算機を遠隔操作することができるようにした駐車場システムとして、従来、例えば、駐車料金の精算を済ませると、車両の出庫を許可する駐車料金精算機に、メンテナンスサービスセンターあるいは他の駐車場管理機関より遠隔操作により、駐車料金を一時的に減額し、この減額した駐車料金の精算が済んだ場合に、車両の出庫を許可する減額精算モードを設けるようにした技術が開示されている（例えば、特許文献１参照）。
【０００５】
また、その他の駐車場システムとしては、従来、例えば、駐車場管理センターの操作により有効化する振替え精算モードを駐車料金精算機に設け、利用者のその時点での料金精算額を状況に応じて、真の車室分として精算処理を完了することを可能にし、その際に誤精算によって多く支払い過ぎた分の差額を印字した差額の預かり証明をレシートプリンタで作成して発行し、そこには預かり金内容を識別する個別のコードや、次回利用方法なども記載し、その内容は駐車場管理サーバーの預かり証明に記録する。また、預かり金の割引精算は、当該駐車料金精算機または他の駐車場の駐車料金精算機において特別な操作を行ったうえで、次回以降の精算において料金割引として返金処理ができるようにした技術が開示されている（例えば、特許文献２参照）。
【先行技術文献】
【特許文献】
【０００６】
【特許文献１】特開２００８−２９９５５２号公報
【特許文献２】特開２００９−００９３０３号公報
【発明の概要】
【発明が解決しようとする課題】
【０００７】
しかしながら、前記特許文献１および特許文献２に記載の技術においては、駐車場管理センターによる遠隔操作により、各種操作を行うことができるものであるが、例えば、荷物の積み卸しなどを行うために、一時的に車両を車室から出庫させた場合に、駐車料金を精算していない未払いの出庫であるにもかかわらず、出庫から一定時間経過してしまうと、精算機に記録されている駐車車室や駐車時間などの駐車情報がリセットされてしまい、利用者が精算することができなくなってしまうという問題を有している。また、駐車場管理センターのオペレータとの通話により精算しようとしても、すでに駐車情報がリセットされてしまっているため、やはり精算することができなくなってしまうという問題を有している。
【０００８】
近年、駐車場にロック板を設置せずに、車室に駐車した車両の車番プレートのプレート情報を読み取り、このプレート情報に基づいて駐車情報の管理を行うようにした駐車場が設けられるようになってきており、このような駐車場では、車両が容易に車室から出庫できてしまうため、このような問題の解決が望まれていた。
【０００９】
本発明は前記した点に鑑みてなされたものであり、一時的に車両を出庫させた場合でも、駐車料金の精算を行うことのできる駐車場システムを提供することを目的とするものである。
【課題を解決するための手段】
【００１０】
本発明は前記目的を達成するために、請求項１の発明に係る駐車場システムは、駐車場に設置された精算機と、前記駐車場に駐車した車両の入出庫を検出する車両検出装置と、前記車両検出装置により料金未納で出庫した車両を検出した場合に当該車両の料金未納情報を記録する料金未納管理データベースと、を備え、
前記精算機は、料金未納管理データベースに記録された料金未納情報に基づいて料金未納車両に対する精算処理を行うことを特徴とする。
【００１１】
請求項２に係る発明は、請求項１において、前記精算機は、駐車場に駐車した車両の車両情報を入力する入力部を備えるとともに、前記料金未納管理データベースは、料金未納車両の車両特定情報を記録するように構成され、前記精算機は、前記入力部により入力された車両特定情報に対応する前記料金未納情報データベースに記録された料金未納情報に基づいて料金未納車両に対する精算処理を行うことを特徴とする。
【００１２】
請求項３に係る発明は、請求項１または請求項２において、前記駐車場の車室に駐車する前記車両の車番プレートを撮影してこの撮影画像に基づいて前記車番プレートのプレート情報を認識する車番認識装置を備え、前記料金未納管理データベースは、前記車番認識装置により認識されたプレート情報を車両の車両特定情報として記録することを特徴とする。
【００１３】
請求項４に係る発明は、請求項３において、前記精算機は、前記車両が出庫した後に当該車室に再入庫した場合に、前記車番認識装置による再入庫後のプレート情報と出庫前のプレート情報との比較結果に基づいて継続駐車であるか新規駐車であるかを判断することを特徴とする。
【００１４】
請求項５に係る発明は、請求項４において、前記精算機は、前記車番認識装置による再入庫後のプレート情報と出庫前のプレート情報との比較結果に基づいて新規駐車であると判断した場合に、前記料金未納データベースに料金未納情報を記録することを特徴とする。
【００１５】
請求項６に係る発明は、請求項３から請求項５のいずれか一項ににおいて、前記料金未納情報を報知する報知手段を備え、前記精算機は、前記料金未納管理データベースから、前記車番認識装置により認識された車両のプレート情報に対応する料金未納情報を検索し、プレート情報に対応する料金未納情報がある場合は、前記報知手段により料金未納がある旨を報知することを特徴とする。
【００１６】
請求項７に係る発明は、請求項１または請求項２において、複数の駐車場を管理する駐車場管理サーバを備え、前記料金未納管理データベースの料金未納情報は、前記駐車場管理サーバに送られることを特徴とする。
【００１７】
請求項８に係る発明は、請求項７において、前記精算機は、前記入力部により入力された車両特定情報に対応する料金未納情報を前記駐車場管理サーバから検索し、この料金未納情報に基づいて料金未納車両に対する精算処理を行うことを特徴とする。
【００１８】
請求項９に係る発明は、請求項７において、前記精算機は、前記駐車場管理サーバから、前記車番認識装置により認識された車両のプレート情報に対応する料金未納情報を検索し、プレート情報に対応する料金未納情報がある場合は、前記報知手段により料金未納がある旨を報知することを特徴とする。
【００１９】
請求項１０に係る発明は、請求項１から請求項９のいずれか一項において、前記料金未納管理データベースの料金未納情報は、一定期間経過後に削除することを特徴とする。
【発明の効果】
【００２０】
請求項１に係る発明によれば、精算機により、料金未納管理データベースに記録された料金未納情報に基づいて料金未納車両に対する精算処理を行うようにしているので、一時的に車両を出庫させた場合でも、後に、駐車料金の精算を行うことができ、使い勝手を著しく向上させることができる。
【００２１】
請求項２に係る発明によれば、入力部により入力された車両特定情報に対応する料金未納情報データベースに記録された料金未納情報に基づいて料金未納車両に対する精算処理を行うようにしているので、利用者が入力部により車両特定情報を入力操作することにより、一時的に車両を出庫させた場合でも、後に、駐車料金の精算を行うことができ、使い勝手を著しく向上させることができる。
【００２２】
請求項３に係る発明によれば、料金未納管理データベースにより、車番認識装置により認識されたプレート情報を車両の車両特定情報として記録するようにしているので、車番認識装置により認識されたプレート情報に基づいて、一時的に車両を出庫させた場合でも、後に、駐車料金の精算を行うことができ、使い勝手を著しく向上させることができる。る。
【００２３】
請求項４に係る発明によれば、精算機により、車両が出庫した後に当該車室に再入庫した場合に、車番認識装置による再入庫後のプレート情報と出庫前のプレート情報との比較結果に基づいて継続駐車であるか新規駐車であるかを判断するようにしているので、車両が継続駐車であるか新規駐車であるかに応じて料金未納処理を行うことができる。
【００２４】
請求項５に係る発明によれば、精算機により、車番認識装置による再入庫後のプレート情報と出庫前のプレート情報との比較結果に基づいて新規駐車であると判断した場合に、料金未納データベースに料金未納情報を記録するようにしているので、新規駐車と判断した場合に、料金未納情報に基づいて料金未納処理を行うことができる。
【００２５】
請求項６に係る発明によれば、精算機により、料金未納管理データベースから、車番認識装置により認識された車両のプレート情報に対応する料金未納情報を検索し、プレート情報に対応する料金未納情報がある場合は、報知手段により料金未納がある旨を報知するようにしているので、車番認識装置により認識されたプレート情報に基づいて、料金未納がある旨を報知することにより、利用者に料金未納がある旨を知らせることができる。
【００２６】
請求項７に係る発明によれば、料金未納管理データベースの料金未納情報を、複数の駐車場を管理する駐車場管理サーバに送るようにしているので、駐車場管理サーバが管理する駐車場において、料金未納情報を検索することができ、駐車した駐車場と異なる駐車場においても、後に、駐車料金の精算を行うことができ、使い勝手を著しく向上させることができる。
【００２７】
請求項８に係る発明によれば、精算機により、入力部により入力された車両特定情報に対応する料金未納情報を駐車場管理サーバから検索し、この料金未納情報に基づいて料金未納車両に対する精算処理を行うようにしているので、利用者が入力部により車両特定情報を入力操作することにより、駐車場管理サーバから料金未納情報を検索することができ、駐車した駐車場と異なる駐車場においても後に、駐車料金の精算を行うことができ、使い勝手を著しく向上させることができる。
【００２８】
請求項９に係る発明によれば、駐車場管理サーバにより、車番認識装置により認識された車両のプレート情報に対応する料金未納情報を検索し、プレート情報に対応する料金未納情報がある場合は、報知手段により料金未納がある旨を報知するようにしているので、駐車場管理サーバが管理する駐車場において、料金未納情報を検索することができ、駐車した駐車場と異なる駐車場においても、料金未納がある旨を利用者に知らせることができる。
【００２９】
請求項１０に係る発明によれば、料金未納管理データベースの料金未納情報は、一定期間経過後に削除するようにしているので、料金未納管理データベースの記録容量を確保することができる。
【図面の簡単な説明】
【００３０】
【図１】本発明に係る駐車場システムの実施形態を示す概略構成図である。
【図２】本発明に係る駐車場システムの実施形態における制御構成を示す概略構成図である。
【図３】本発明に係る駐車場システムの実施形態における入場動作を示すフローチャートである。
【図４】本発明に係る駐車場システムの実施形態における料金未納判断動作を示すフローチャートである。
【図５】本発明に係る駐車場システムの実施形態における料金未納情報がある状態で駐車した場合の報知動作を示すフローチャートである。
【図６】本発明に係る駐車場システムの実施形態における料金未納情報がある状態で駐車した場合の精算動作を示すフローチャートである。
【図７】本発明に係る駐車場システムの実施形態における料金未納情報がある状態で利用者による精算動作を示すフローチャートである。
【発明を実施するための形態】
【００３１】
以下、本発明の実施の形態について図面を参照しながら説明する。
【００３２】
図１は本発明に係る駐車場システムの第１実施形態を示す概略図である。図１に示すように、本実施形態の駐車場システムにおける駐車場は、車両１を駐車させるための複数の車室２を備えており、各車室２には、端末装置３がそれぞれ設置されている。また、各車室２には、車両１が入出庫したことを検出するための車両検出装置としての車両センサ４が設置されている。さらに、駐車場には、駐車場利用者が駐車料金の精算を行うための精算機５が設置されており、本実施形態においては、精算機５には、車番認識装置６が内蔵されている。
【００３３】
次に、本発明の制御構成について、図２を参照して説明する。
【００３４】
端末装置３には、端末装置３の各種制御を行う端末制御部７が設けられており、端末装置３には、精算機５との間で通信を行う端末通信部８が設けられている。また、端末装置３には、車室２に駐車する車両１の車番プレートを撮影するためのカメラ９が設置されており、端末装置３には、カメラ９により撮影された撮影画像を取得する画像取得部１０が設けられている。また、端末装置３には、駐車料金の未納情報を表示する報知手段としての端末表示部１１が設けられており、端末装置３には、入力部としての端末入力部１２が設けられている。
【００３５】
また、車両センサ４による車両１の検出信号は、端末装置３に送られるように構成されており、画像取得部１０は、車両センサ４による車両１の検出信号が端末装置３に送られた場合に、カメラ９の撮影画像を取得して、端末通信部８を介して精算機５に送るように構成されている。
【００３６】
また、車番認識装置６には、各種制御を行う車番認識制御部１３が設けられている。また、車番認識装置６には、画像処理部１４が設けられており、この画像処理部１４は、端末装置３から送られる撮影画像を画像処理して車番プレートの車両特定情報としてのプレート情報をテキストデータ化するように構成されている。車番認識装置６には、画像処理部１４によりテキストデータ化されたプレート情報を記録するプレート情報データベース１５が設けられており、プレート情報データベース１５には、テキストデータ化されたプレート情報は、陸運支局コード、車種コード、用途コード、一連番号に分類して記録されるように構成されている。
【００３７】
また、精算機５には、精算などの各種処理を行う精算制御部１６が設けられており、精算機５には、端末装置３との間で通信を行う精算通信部１７が設けられている。また、精算機５には、駐車料金の精算処理を行うための精算部１８が設けられており、精算機５には、駐車場の利用者が車室番号などを入力して精算処理を行うための精算入力部１９が設けられている。精算機５には、精算時に所定の表示を行う精算表示部２０が設けられており、精算機５には、駐車料金の未納情報を記録するための料金未納管理データベース２１が設けられている。
【００３８】
そして、精算機５には、端末装置３から端末通信部８および精算通信部１７を介して車両センサ４による車両１の入出庫情報が送られるように構成されている。精算部１８は、端末装置３から端末通信部８および精算通信部１７を介して車両１の入庫情報が送られた場合に、該当する車室２の駐車時間の計数を行い、利用者が精算入力部１９により車室番号を入力して精算処理を行う場合に、駐車時間に応じた精算処理を行うように構成されている。また、精算機５は、駐車料金の精算を行わないで車両１が出庫した場合に、料金未納管理データベース２１に後述する車両１のプレート情報、駐車した車室番号、駐車日時や駐車時間などの駐車情報とともに料金未納情報を記録するように構成されている。
【００３９】
さらに、精算機５は、複数の駐車場を管理する中央管理システム２２と通信可能とされており、中央管理システム２２には、駐車場管理サーバ２３が設けられている。駐車場管理サーバ２３には、各駐車場における精算機５の料金未納管理データベース２１に記録された料金未納情報が記録されるように構成されている。
【００４０】
また、本実施形態においては、精算処理を行っていない車両１が車室２から出庫したことを車両センサ４により検出して、その出庫情報が端末装置３から精算機５を介して送られた場合に、一定の待機時間が経過する間に、当該車室２に車両１が再入庫したら、車番認識装置６により、出庫した車両１のプレート情報と再入庫した車両１のプレート情報とを比較して、その比較結果に基づいて、プレート情報が一致すれば継続駐車であり、プレート情報が一致しない場合は新規駐車であると判断するように構成されている。
【００４１】
そして、精算機５は、継続駐車と判断した場合には、料金未納であるとして料金未納管理データベース２１に記録された料金未納情報を削除し、新規駐車であると判断した場合には、料金未納管理データベース２１の料金未納情報はそのままとして、対応する車室２の端末装置３の端末表示部１１に「未納有り」の情報を表示させるとともに、中央管理システム２２の駐車場管理サーバ２３に料金未納情報を送信するように構成されている。
【００４２】
また、本実施形態においては、精算機５は、車室２に車両１が駐車した場合に、車番認識装置６により、プレート情報を認識した後、料金未納管理データベース２１の料金未納情報の中から、該当するプレート情報に対応する料金未納情報の有無を検索するように構成されている。そして、料金納付未納管理データベースに料金未納情報が存在する場合には、対応する車室２の端末装置３の端末表示部１１に「未納有り」の情報を表示させるように構成されている。
【００４３】
また、精算機５は、精算処理を行う場合に、料金未納管理データベース２１の料金未納情報の中から、該当するプレート情報に対応する料金未納情報の有無を検索するように構成されている。そして、料金納付未納管理データベースに料金未納情報が存在する場合には、駐車料金の他に未納分の駐車料金を自動的に加算して精算することができるように構成されている。
【００４４】
なお、前述の料金未納管理データベース２１を検索して料金未納情報の有無を検索する際に、中央管理システム２２の駐車場管理サーバ２３を検索するようにしてもよい。すなわち、過去に料金未納情報が記録されている利用者が異なる駐車場を利用する場合があるので、駐車場管理サーバ２３を検索することにより、異なる駐車場における料金未納情報を取得することができるものである。このように駐車場管理サーバ２３を検索して料金未納情報を取得した場合に、対応する車室２の端末装置３の端末表示部１１に「未納有り」の情報を表示させ、精算処理を行う場合に、駐車料金の他に未納分の駐車料金を自動的に加算して精算することができるものである。
【００４５】
また、利用者は精算機５により、未納の駐車料金を精算することが可能であり、例えば、車番プレートの異なる車両１で駐車した場合や、徒歩で駐車場を訪れた場合など、プレート情報による検索を行うことができない状態であっても、未納の駐車料金を精算することができるものである。すなわち、本実施形態においては、利用者が精算機５の精算入力部１９により、駐車料金を未納した車両１のプレート情報や駐車した車室番号、あるいは駐車場名、駐車日時など必要な情報を入力することにより、精算機５は、料金未納管理データベース２１あるいは駐車場管理サーバ２３を検索して該当する未納情報を取得して精算表示部２０に表示させ、利用者はこの未納情報を確認した上で、未納の駐車料金を精算することができるように構成されている。
【００４６】
なお、料金未納管理データベース２１の料金未納情報は、データベースの記録容量にもよるが、一定期間経過後に削除するようになっている。
【００４７】
次に、本実施形態の入場動作について、図３に示すフローチャートを参照して説明する。
【００４８】
本実施形態においては、まず、車両センサ４により、駐車場の車室２の車両１が入庫したことを検出したら（ＳＴ１）、画像取得部１０により、カメラ９による撮影画像を取得し（ＳＴ２）、この取得した撮影画像を車番認識装置６に送る。
【００４９】
そして、車番認識装置６の画像処理部１４により、端末装置３から送られる撮影画像を画像処理して車番プレートのプレート情報をテキストデータ化し、プレート情報を、陸運支局コードと、車種コードと、用途コードと、一連番号とに分類してプレート情報データベース１５に記録する（ＳＴ３）。
【００５０】
一方、端末装置３は、車両センサ４により車両１の入庫を検出したら、入庫情報を精算機５に送り、精算機５の精算部１８により、駐車時間の計数が開始される。
【００５１】
利用者が精算する場合は、精算機５の精算入力部１９により駐車した車室番号を入力することにより、精算部１８により、駐車時間に応じた駐車料金を精算することにより、精算処理が完了する。
【００５２】
次に、本実施形態の料金未納判断動作について、図４に示すフローチャートを参照して説明する。
【００５３】
まず、車両センサ４により車両１の出庫が検出されたら（ＳＴ１０）、精算処理が完了しているか否か判断し（ＳＴ１１）、精算処理が完了している場合は（ＳＴ１１：ＹＥＳ）、プレート情報データベース１５に記録されたプレート情報を削除する（ＳＴ１８）。
【００５４】
一方、精算処理が完了していない場合は（ＳＴ１１：ＮＯ）、未納情報を料金未納管理データベース２１に記録し（ＳＴ１２）、一定の待機時間内に車両１が再入庫するか否か監視する（ＳＴ１３）。そして、待機時間内に車両１が入庫しない場合は（ＳＴ１４：ＮＯ）、不正駐車であるとして、不正駐車情報を料金未納情報とともに中央管理システム２２に送信する（ＳＴ１９）。
【００５５】
そして、待機時間内に車両１が入庫した場合には（ＳＴ１４：ＹＥＳ）、出庫した車両１のプレート情報と再入庫した車両１のプレート情報とを比較して、その比較結果に基づいて継続駐車であるか新規駐車であるかを判断する（ＳＴ１５）。そして、新規駐車と判断した場合には（ＳＴ１６：ＹＥＳ）、料金未納管理データベース２１の料金未納情報はそのままとし（ＳＴ２０）、端末表示部１１に「未納有り」または「課金中」の情報を表示させる（ＳＴ２１）。一方、継続駐車と判断した場合は（ＳＴ１６：ＮＯ）、料金未納管理データベース２１の料金未納情報を削除する（ＳＴ１７）。
【００５６】
次に、未納情報が記録されている車両１が駐車した場合の動作について、図５に示すフローチャートを参照して説明する。
【００５７】
まず、車両センサ４により、駐車場の車室２の車両１が入庫したことを検出したら（ＳＴ３１）、画像取得部１０により、カメラ９による撮影画像を取得し（ＳＴ３２）、この取得した撮影画像を車番認識装置６に送る。そして、車番認識装置６の画像処理部１４により、端末装置３から送られる撮影画像を画像処理して車番プレートのプレート情報をプレート情報データベース１５に記録する（ＳＴ３３）。
【００５８】
そして、このプレート情報に基づいて料金未納管理データベース２１の料金未納情報の中から、該当するプレート情報に対応する料金未納情報の有無を検索し（ＳＴ３４）、料金納付未納管理データベースに料金未納情報が存在する場合には（ＳＴ３５：ＹＥＳ）、対応する車室２の端末装置３の端末表示部１１に「未納有り」の情報を表示させる（ＳＴ３６）。
【００５９】
次に、未納情報が記録されている車両１に対して精算を行う場合の動作について、図６に示すフローチャートを参照して説明する。
【００６０】
まず、車両センサ４により、駐車場の車室２の車両１が入庫したことを検出したら（ＳＴ４１）、画像取得部１０により、カメラ９による撮影画像を取得し（ＳＴ４２）、この取得した撮影画像を車番認識装置６に送る。そして、車番認識装置６の画像処理部１４により、端末装置３から送られる撮影画像を画像処理して車番プレートのプレート情報をプレート情報データベース１５に記録する（ＳＴ４３）。
【００６１】
そして、このプレート情報に基づいて料金未納管理データベース２１の料金未納情報の中から、該当するプレート情報に対応する料金未納情報の有無を検索し（ＳＴ４４）、料金納付未納管理データベースに料金未納情報が存在する場合には（ＳＴ４５：ＹＥＳ）、駐車料金の他に未納分の駐車料金を加算して精算する（ＳＴ４６）。未納の駐車料金の精算が完了したら（ＳＴ４７：ＹＥＳ）、料金未納管理データベース２１から未納情報を削除する（ＳＴ４８）。未納の駐車料金の精算が完了していない場合は（ＳＴ４７：ＮＯ）、料金未納管理データベース２１から未納情報をそのままとする（ＳＴ４９）。
【００６２】
次に、未納情報が記録されている場合に、利用者が精算を行う場合の動作について、図７に示すフローチャートを参照して説明する。
【００６３】
まず、利用者が精算機５の精算入力部１９を操作して、駐車料金を未納した車両１のプレート情報や駐車した車室番号、あるいは駐車場名、駐車日時など必要な情報を入力することにより（ＳＴ５１）、精算機５は、料金未納管理データベース２１あるいは駐車場管理サーバ２３を検索する（ＳＴ５２）。そして、料金納付未納管理データベースに料金未納情報が存在する場合には（ＳＴ５３：ＹＥＳ）、該当する未納情報を取得して精算表示部２０に表示させ（ＳＴ５４）、利用者はこの未納情報を確認した上で、未納の駐車料金を精算する（ＳＴ５５）。未納の駐車料金の精算が完了したら（ＳＴ５６：ＹＥＳ）、料金未納管理データベース２１から未納情報を削除する（ＳＴ５７）。未納の駐車料金の精算が完了していない場合は（ＳＴ５６：ＮＯ）、料金未納管理データベース２１から未納情報をそのままとする（ＳＴ５８）。
【００６４】
以上述べたように、本実施形態においては、車番認識装置６により、駐車した車両１のプレート情報を取得し、駐車料金を未納とした場合に、料金未納管理データベース２１に料金未納情報を記録し、料金未納管理データベース２１の料金未納情報を検索することにより、駐車料金が未納であるか否かを判断することができ、一時的に車両１を出庫させた場合でも、後に、駐車料金の精算を行うことができ、使い勝手を著しく向上させることができる。
【００６５】
なお、前記実施形態においては、車番認識装置６を精算機５に内蔵した場合について説明したが、車番認識装置６を端末装置３に内蔵させるようにしてもよい。
【００６６】
また、本発明は上記実施形態に限定されるものではなく、本発明の趣旨に基づいて種々の変形が可能である。
【符号の説明】
【００６７】
１  車両
２  車室
３  端末装置
４  車両センサ
５  精算機
６  車番認識装置
７  端末制御部
８  端末通信部
９  カメラ
１０  画像取得部
１１  端末表示部
１２  端末入力部
１３  車番認識制御部
１４  画像処理部
１５  プレート情報データベース
１６  精算制御部
１７  精算通信部
１８  精算部
１９  精算入力部
２０  精算表示部
２１  料金未納管理データベース
２２  中央管理システム
２３  駐車場管理サーバ
【図１】
2014071607.tif 000003
【図２】
2014071607.tif 000004
【図３】
2014071607.tif 000005
【図４】
2014071607.tif 000006
【図５】
2014071607.tif 000007
【図６】
2014071607.tif 000008
【図７】
2014071607.tif 000009